(57)【要約】【課題】シーンモードを自動的に切り替える方法及び携帯式端末を提供する。【解決手段】当該方法は、各シーンモードの存続周期及び後続シーンモードを設定するステップと、現在のシーンモードの存続周期が終了したか否かを判断するステップと、現在のシーンモードの存続周期が終了した場合、現在のシーンモードを後続シーンモードとして切り替えるステップと、を含む。本発明によれば、ユーザは自分のスケジュールに応じて、一日の中の異なる時期に使用すべきシーンモードを定義することができ、ユーザに便宜を与える。【選択図】図１
2008054317.tif 000002
【特許請求の範囲】
【請求項１】
シーンモードを自動的に切り替える方法であって、
各シーンモードの存続周期及び後続シーンモードを設定するステップと、
現在のシーンモードの存続周期が終了したか否かを判断するステップと、
現在のシーンモードの存続周期が終了した場合には、現在のシーンモードを後続シーンモードに切り替えるステップと、を含むことを特徴とする方法。
【請求項２】
請求項１に記載の方法であって、
前記の現在のシーンモードの存続周期と後続シーンモードとが、ユーザが手動にて設定し得るものであることを特徴とする方法。
【請求項３】
請求項１に記載の方法であって、
前記の現在のシーンモードの存続周期と後続シーンモードとが、スケジュール表から所定のルールに従って生成されるものであることを特徴とする方法。
【請求項４】
請求項３に記載の方法であって、
前記のスケジュール表が、携帯式端末におけるスケジュール表であることを特徴とする方法。
【請求項５】
請求項３に記載の方法であって、
前記のスケジュール表が、コンピュータのメールシステムにおけるスケジュール表であることを特徴とする方法。
【請求項６】
請求項１に記載の方法であって、
前記の後続シーンモードが、省略シーンモードであることを特徴とする方法。
【請求項７】
シーンモード手配を表す、少なくともシーンモードのタイプ、存続周期及び後続シーンモードを含むシーンモード情報が記憶されているシーンモード情報ライブラリと、
現在のシーンモードの存続周期が終了したか否かを判断し、前記の存続周期が終了した場合には、現在のシーンモードを後続シーンモードに切り替える切替手段と、を備えることを特徴とする携帯式端末。
【請求項８】
請求項７に記載の携帯式端末であって、
タイマーをさらに備え、
前記の切替手段が、前記のタイマーの現在時間に応じて前記存続期間が終了したか否かを判断することを特徴とする携帯式端末。
【請求項９】
請求項７に記載の携帯式端末であって、
前記の現在のシーンモードの存続周期と後続シーンモードとが、ユーザがシーンモード設定インターフェイスを介して手動にて設定し得るものであることを特徴とする携帯式端末。
【請求項１０】
請求項７に記載の携帯式端末であって、
前記の現在のシーンモードの存続周期及び後続シーンモードを、前記の携帯式端末のスケジュール表から所定のルールに従って生成する転換器をさらに備えることを特徴とする携帯式端末。
【請求項１１】
請求項７に記載の携帯式端末であって、
前記の後続シーンモードが、省略シーンモードであることを特徴とする携帯式端末。
【請求項１２】
ユーザの毎日のスケジュール手配を含むスケジュール表と、
シーンモードのタイプ、存続周期及び後続シーンモードを、前記のスケジュール表から所定のルールに従って生成する転換器と、を備えることを特徴とするメールシステム。
【請求項１３】
請求項１２に記載のメールシステムであって、
前記のシーンモードのタイプ、存続周期及び後続シーンモードを、有線又は無線接続方式を介して携帯式移動端末に記憶することを特徴とするメールシステム。
【請求項１４】
携帯式端末と、メールシステムを有し、前記の携帯式端末と通信可能に接続されるマスターとを備える通信システムであって、
携帯式端末は、
シーンモード手配を表す、少なくともシーンモードのタイプ、存続周期及び後続シーンモードを含むシーンモード情報が記憶されているシーンモード情報ライブラリと、
現在のシーンモードの存続周期が終了したか否かを判断し、前記の存続周期が終了した場合には、現在のシーンモードを後続シーンモードに切り替える切替手段と、を備え、
前記のメールシステムは、
ユーザの毎日のスケジュール手配を含むスケジュール表と、
シーンモードのタイプ、存続周期及び後続シーンモードを、前記のスケジュール表から所定のルールに従って生成する転換器と、を備えることを特徴とする通信システム。
【発明の詳細な説明】
【技術分野】
【０００１】
本発明は携帯式端末に関し、特に、シーンモードを自動的に切り替える方法及び携帯式端末に関する。
【背景技術】
【０００２】
従来、携帯電話などのような多くの携帯式装置は、シーンモードの切り替えをサポートしている。例えば、会議時に現在のシーンモードを消音モードとして切り替えればよい。これはユーザに多くの便宜を与えているが、このようなシーン切替機能は、ユーザが手動設定しなければならない。
特許文献１（ＵＳ２００５０１３６８４２）は、周囲環境雑音の変化に応じてシーンモードを自動的に切り替える方法を提案している。文献１では、まず、携帯電話の周囲の雑音値を検出し、現在の雑音値を所定の基準値と比較して、両者の差値を算出する。そして、当該雑音差値に基づいて、携帯電話の現在のシーンモードを切り替えるか否かを確定している。
【０００３】
前記の特許文献１で提案されているシーンモード切替方法は、環境雑音が変化する場合にだけ、携帯電話のシーンモードを切り替えて着呼をミスしないようにするものであり、当該方法は、環境雑音が大きく変化していない場合にシーンモードの自動切替を必要とするという課題を解決することができない。
例えば、会議前に、ユーザが携帯電話を消音モードにすることを忘れた場合、会議中に着呼があれば会議を妨害することになってしまう。或いは、ユーザが携帯電話を会議中消音モードにしておくと、会議終了後に消音設定をキャンセルすることを忘れることがままあり、重要な電話やメールの受信機会を失することになってしまう。
【０００４】
上で言及した様々の問題は、ユーザの携帯式端末の使用に対し不便をもたらすことになるので、正確なタイミングでシーンモードを自動的に切り替え、以って携帯式端末の操作性能を改善する需要が存在している。
【特許文献１】米国特許出願公開第２００５／０１３６８４２号明細書
【発明の開示】
【発明が解決しようとする課題】
【０００５】
本発明は、従来技術における上述の問題に鑑みてなされたものである。本発明は、シーンモードを自動的に切り替える方法及び携帯式端末を提供し、以って携帯式端末の操作性を改善することを目的とする。
【課題を解決するための手段】
【０００６】
本発明の一側面によると、シーンモードを自動的に切り替える方法であって、各シーンモードの存続周期及び後続シーンモードを設定するステップと、現在のシーンモードの存続周期が終了したか否かを判断するステップと、現在のシーンモードの存続周期が終了した場合には、現在のシーンモードを後続シーンモードに切り替えるステップと、を含む方法を提供する。
【０００７】
本発明の実施態様によると、前記の現在のシーンモードの存続周期と後続シーンモードとは、ユーザが手動にて設定し得るものである。
本発明の実施態様によると、前記の現在のシーンモードの存続周期と後続シーンモードとは、スケジュール表から所定のルールに従って生成されるものである。
本発明の実施態様によると、前記のスケジュール表は、携帯式端末におけるスケジュール表である。
本発明の実施態様によると、前記のスケジュール表は、コンピュータのメールシステムにおけるスケジュール表である。
本発明の実施態様によると、前記の後続シーンモードは省略シーンモードである。
【０００８】
本発明の他の側面によると、シーンモード手配を表す、少なくともシーンモードのタイプ、存続周期及び後続シーンモードを含むシーンモード情報が記憶されているシーンモード情報ライブラリと、現在のシーンモードの存続周期が終了したか否かを判断し、前記の存続周期が終了した場合には、現在のシーンモードを後続シーンモードに切り替える切替手段と、を備える携帯式端末を提供する。
【０００９】
本発明の実施態様によると、前記の携帯式端末はタイマーをさらに備え、前記の切替手段は、前記のタイマーの現在時間に応じて前記存続期間が終了したか否かを判断する。
本発明の実施態様によると、前記の現在のシーンモードの存続周期と後続シーンモードとは、ユーザがシーンモード設定インターフェイスを介して手動にて設定され得るものである。
本発明の実施態様によると、前記の携帯式端末は、前記の現在のシーンモードの存続周期及び後続シーンモードを、前記の携帯式端末のスケジュール表から所定のルールに従って生成する転換器をさらに備える。
本発明の実施態様によると、前記の後続シーンモードは省略シーンモードである。
【００１０】
本発明の更なる他の側面によると、ユーザの毎日のスケジュール手配を含むスケジュール表と、シーンモードのタイプ、存続周期及び後続シーンモードを、前記のスケジュール表から所定のルールに従って生成する転換器と、を備えるメールシステムを提供する。
本発明の実施態様によると、前記のシーンモードのタイプ、存続周期及び後続シーンモードを、有線又は無線接続方式を介して携帯式移動端末に記憶する。
【００１１】
本発明の更なる他の側面によると、携帯式端末と、メールシステムを有し、前記の携帯式端末と通信可能に接続されるマスターとを備える通信システムであって、携帯式端末は、シーンモード手配を表す、少なくともシーンモードのタイプ、存続周期及び後続シーンモードを含むシーンモード情報が記憶されているシーンモード情報ライブラリと、現在のシーンモードの存続周期が終了したか否かを判断し、前記の存続周期が終了した場合には、現在のシーンモードを後続シーンモードに切り替える切替手段と、を備え、前記のメールシステムは、ユーザの毎日のスケジュール手配を含むスケジュール表と、シーンモードのタイプ、存続周期及び後続シーンモードを、前記のスケジュール表から所定のルールに従って生成する転換器と、を備える通信システムを提供する。
【発明の効果】
【００１２】
本発明の前記構成によれば、ユーザは自分のスケジュールに応じて、一日に亘る異なる時期に使用すべきシーンモードを定義することができ、ユーザに便宜を与える。
【発明を実施するための最良の形態】
【００１３】
本発明の実施形態は、実例を介して記述されており、図面による限定を受けないことに留意されたい。図面における同一の参照数字は、対応、類似又は同一の要素を表している。
以下の詳細な記述には、本発明の実例をよく理解するため、多くの具体的な細部を記載している。しかしながら、これらの具体的な細部がなかったとしても本発明の実施形態が実現できることは、当業者にとって明白である。尚、本発明の実現を不明瞭にさせないため、公知の方法、プロセス、部品及び回路を詳しく記載していない。
【００１４】
図１は、本発明の第１実施形態による携帯式端末のブロック図を示している。
図１に示すように、本発明の第１実施形態に基づく携帯式端末１００は、ユーザが毎日の各時間に完了すべき任務を記録しているスケジュール表１３０と、スケジュール表１３０に記憶されている具体的なスケジュールを所定のルールに従ってシーンモード情報に変換する転換器１６０と、シーンモード情報を記憶するシーンモード情報ライブラリ１７０と、シーンモード情報ライブラリ１７０に記憶されているシーンモード情報に応じて、対応するタイミングで携帯電話のシーンモードを切り替えるモード切替エンジン１４０と、タイマー１５０、シーンモード設定インターフェイス１１０を提供するシーン設定モジュール１２０と、シーンモード設定インターフェイス１１０とを含む。
【００１５】
シーン設定モジュール１２０から提供されるシーンモード設定インターフェイス１１０は、ユーザと交流するためのものである。ユーザは、当該シーンモード設定インターフェイス１１０を介してシーンモードの存続周期、優先レベル及び後続モードなどを設定することができる。
シーンモード情報ライブラリ１７０には、各設定待ちのシーンモード情報が記憶されており、それは当該シーンモードのタイプ、起動時間、終了時間、優先レベル及び後続モードの好みなどを含む。図２は、図１に示したシーンモード情報ライブラリに記憶されているシーンモード情報の例を示している。
モード切替エンジン１４０は、シーンモード情報ライブラリ１７０からシーンモードの状態を読み出し、シーン設定モジュール１２０を利用して、指定されたタイミングで携帯電話のシーンモードを指定されたシーンモードに切り替える。
【００１６】
前述の通り、従来技術においては、携帯電話のシーンモードは、一旦設定されると、ユーザが再び手動でシーンモードを切り替えない限り変更されない。本発明の第１実施形態によれば、シーンモード情報には持続時間及び後続モードの好みを含むので、モード切替エンジン１４０がタイマー１５０の時間に基づいて現在のシーンモードの終了時間を確定し、現在のシーンモードの終了タイミングにて現在のシーンモードを当該シーンモード情報に含まれる好みの後続モードに切り替えることができる。つまり、本発明によれば、あるシーンモードの存続周期が予め設定された持続時間に達すると、当該シーンモードを自動に終了するとともに、後続のシーンモードを現在のシーンモードとして設定されることとなる。好みの後続モードを設定していない場合、省略シーンモードを使用する。
【００１７】
尚、シーンモード情報ライブラリ１７０におけるシーンモード情報は、シーンモード設定インターフェイスを介して設定・記憶される情報であってもよく、また転換器１６０がスケジュール表１３０におけるスケジュールに基づいて変換して得るものであってもよい。例えば、転換器１６０は、スケジュール表におけるスケジュールの状態「１５：００〜１７：００会議」を「会議モード、１５：００開始、２時間持続、後続モードは省略モード」と変換して、シーンモード情報ライブラリ１７０に記憶する。
【００１８】
上述の通り、本発明は、動的且つ設定可能なシーンモード切替メカニズムを通じて、従来の絶対的な切替メカニズムを改善することとなる。設定の方式は、下記の幾つかのモードが挙げられる。
ユーザが新たなシーンモードに切り替える場合、切り替えて入れたいシーンモードと、当該シーンモードを続けておきたい時間（継続時間）とを指定する。継続時間は、以下の方式にて設定すればよい：時間期間（長さ）の指定、指定した時間への到達、指定事件への到達（例えば、ユーザが次回のシーン切替を行う）。
尚、前記のモード切替エンジン１４０は、タイマー１５０の時間及び現在のシーンモードの存続周期に基づいて、ユーザが予め設定した時間にて自動でシーン切替を行い、移動装置を標準シーンモード、前回のシーンモード、又はユーザに指定されたシーンモードに切り替える。
【００１９】
そこで、本発明によれば、ユーザは、直接にエディターを介して一日の異なる時期に使用すべき携帯電話シーンモードを定義することができ、予め定義された配置ファイルを用いて自分が常用するシーンモード切替メカニズムを記憶し、場合によっては異なる配置ファイルを採用することもできる。また、スケジュール表におけるスケジュール情報をシーンモード情報として変換することもできる。例えば、ユーザはスケジュール表におけるスケジュールを設定するとともに、当該事件の発生と対応する携帯電話シーンモードを設定する。勿論、ユーザは自動モードを採用し、異なるスケジュール表中の事件に対して異なる省略携帯電話シーンモードを設定してもよい。
【００２０】
図３は、本発明の第２実施形態による携帯式端末のブロック図を示す。
図３に示すように、第２実施形態に基づく携帯式端末１００は、インターフェイスを介してコンピュータのメールシステムと関連付けられている。
第２実施形態に基づく携帯式端末１００と第１実施形態に基づくそれとの区別は、スケジュール表１３０と転換器１６０とが、コンピュータ中のメールシステム２００におけるスケジュール表２３０と転換器２６０とに、それぞれ代替されることにある。
【００２１】
この場合、ユーザがコンピュータ中のスケジュール表を用いて携帯電話のシーンモードを設定したいときには、ＵＳＢインターフェイスや無線インターフェイスを介して携帯電話をコンピュータに登録すればよい。
そして、転換器２６０がコンピュータのスケジュール表２３０からスケジュールの状態を読み取り、所定のルールに従って読み取られたスケジュールの状態をシーンモード情報に翻訳して、携帯電話のシーンモード情報ライブラリ１７０に記憶する。シーンモード情報は、例えば、シーンモードタイプ、開始時間、終了時間、優先レベル、後続モードの好みなどを含む。
このように、ユーザはコンピュータにスケジュールを一度設定するだけで、携帯電話にも当該設定を共用することができ、ユーザに使用上の便宜を与える。
【００２２】
以上に記述されたものは、本発明における具体的な実施方式に過ぎず、本発明の保護範囲はこれに限定されない。当業者が、本発明に掲載している技術範囲内に容易に想到し得る変更又は交換も、本発明の範囲内に含まれるべきである。そこで、本発明の保護範囲は、特許請求の範囲の保護範囲を基準とすべきである。
【図面の簡単な説明】
【００２３】
【図１】図１は、本発明の第１実施形態に基づく携帯式端末のブロック図を示している。
【図２】図２は、図１に示すシーンモード情報ライブラリに記憶されているシーンモード情報を示している。
【図３】図３は、本発明の第２実施形態に基づく携帯式端末のブロック図を示している。
【符号の説明】
【００２４】
１００  携帯式端末
１１０  シーンモード設定インターフェイス
１２０  シーン設定モジュール
１３０  スケジュール表
１４０  モード切替エンジン
１５０  タイマー
１６０  転換器
１７０  シーンモード情報ライブラリ
【図１】
2008054317.tif 000003
【図２】
2008054317.tif 000004
【図３】
2008054317.tif 000005